Podtech/llm-jp-corpus-v4-ja_patent huggingface dataset:
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
Ｂ細胞成熟抗原（ＢＣＭＡ）に結合するキメラ抗原受容体（ＣＡＲ）であって、以下：
（ｉ）  増殖誘導リガンド（ＡＰＲＩＬ）の少なくとも一部を含むＢＣＭＡ結合ドメイン；
（ｉｉ）  スペーサードメイン；および
（ｉｉｉ）  膜貫通ドメイン；および
（ｉｖ）  細胞内Ｔ細胞シグナリングドメイン
を含む、ＣＡＲ。
【請求項２】
前記ＢＣＭＡ結合ドメインは、短縮型ＡＰＲＩＬを含み、該短縮型ＡＰＲＩＬは、ＢＣＭＡ結合部位を含むが、プロテオグリカン結合に寄与するＡＰＲＩＬのアミノ末端部を欠失する、請求項１に記載のＣＡＲ。
【請求項３】
配列番号１４に示す配列、またはＢＣＭＡに結合し、少なくとも８０％の配列同一性を有するそのバリアントを含む、請求項２に記載のＣＡＲ。
【請求項４】
前記膜貫通および細胞内Ｔ細胞シグナリングドメインは、配列番号７に示す配列、または少なくとも８０％の配列同一性を有するそのバリアントを含む、請求項１から３のいずれかに記載のＣＡＲ。
【請求項５】
前記スペーサーは、以下の１つを含む、請求項１から４のいずれかに記載のＣＡＲ：ヒトＩｇＧ１スペーサー；ＩｇＧ１ヒンジ；またはＣＤ８の柄。
【請求項６】
前記スペーサーは、ＣＤ８の柄を含む、請求項５に記載のＣＡＲ。
【請求項７】
配列番号１、２、３、４、５、もしくは６に示される配列、または少なくとも８０％の配列同一性を有するが、ｉ）ＢＣＭＡへの結合能、およびｉｉ）Ｔ細胞シグナリングを誘導する能力を保持する、それらのバリアントを含む、請求項１から６のいずれかに記載のＣＡＲ。
【請求項８】
請求項１から７のいずれかに記載のＣＡＲをコードする核酸配列。
【請求項９】
配列番号１５、１６、１７、１８、１９、もしくは２０に示される配列、または少なくとも８０％の配列同一性を有するそれらのバリアントを含む、請求項８に記載の核酸配列。
【請求項１０】
請求項８または９に記載の核酸配列を含むベクター。
【請求項１１】
請求項１から７のいずれかに記載のＣＡＲを発現するＴ細胞またはＮＫ細胞。
【請求項１２】
Ｔ細胞またはＮＫ細胞に、請求項８または９に記載の核酸配列を導入する工程を含む、請求項１１に記載のＴ細胞またはＮＫ細胞を作製する方法。
【請求項１３】
請求項１０に記載のベクター、または請求項１１に記載のＴ細胞／ＮＫ細胞を、薬学的に許容できるキャリア、希釈剤、もしくは添加剤と一緒に含む薬学的組成物。
【請求項１４】
請求項１０に記載のベクター、または請求項１１に記載のＴ細胞／ＮＫ細胞を含む、形質細胞障害を処置するための組成物。
【請求項１５】
前記形質細胞障害は、形質細胞腫、形質細胞性白血病、多発性骨髄腫、マクログロブリ
ン血症、アミロイドーシス、ワルデンストレーム型マクログロブリン血症、孤立性骨形質細胞腫、髄外性形質細胞腫、骨硬化性ミエローマ、Ｈ鎖病、意義不明の単クローン性免疫グロブリン血症、および無症候性骨髄腫より選択される、請求項１４に記載の組成物。
【請求項１６】
前記形質細胞障害は、多発性骨髄腫である、請求項１５に記載の組成物。
【請求項１７】
形質細胞障害を処置するための医薬の製造における、請求項１０に記載のベクター、または請求項１１に記載のＴ細胞／ＮＫ細胞の使用。
【手続補正２】
【補正対象書類名】明細書
【補正対象項目名】００３０
【補正方法】変更
【補正の内容】
【００３０】
第九の態様において、本発明は、形質細胞障害を処置するための医薬品の製造における、本発明の第三の態様に記載のベクター、または本発明の第四の態様に記載のＴ細胞／ＮＫ細胞の使用を提供する。
本発明の実施形態において、例えば以下の項目が提供される。
（項目１）
以下を含むキメラ抗原受容体（ＣＡＲ）：
（ｉ）  増殖誘導リガンド（ＡＰＲＩＬ）の少なくとも一部を含む、Ｂ細胞成熟抗原（ＢＣＭＡ）結合ドメイン；
（ｉｉ）  スペーサードメイン；および
（ｉｉ）  膜貫通ドメイン；および
（ｉｉｉ）  細胞内Ｔ細胞シグナリングドメイン。
（項目２）
前記ＢＣＭＡ結合ドメインは、短縮型ＡＰＲＩＬを含み、該短縮型ＡＰＲＩＬは、ＢＣＭＡ結合部位を含むが、プロテオグリカン結合に寄与するＡＰＲＩＬのアミノ末端部を欠失する、項目１に記載のＣＡＲ。
（項目３）
配列番号１４に示す配列、またはＢＣＭＡに結合し、少なくとも８０％の配列同一性を有するそのバリアントを含む、項目２に記載のＣＡＲ。
（項目４）
前記膜貫通および細胞内Ｔ細胞シグナリングドメインは、配列番号７に示す配列、または少なくとも８０％の配列同一性を有するそのバリアントを含む、前述のいずれかの項目に記載のＣＡＲ。
（項目５）
前記スペーサーは、以下の１つを含む、前述のいずれかの項目に記載のＣＡＲ：ヒトＩｇＧ１スペーサー；ＩｇＧ１ヒンジ；またはＣＤ８の柄。
（項目６）
前記スペーサーは、ＣＤ８の柄を含む、項目５に記載のＣＡＲ。
（項目７）
配列番号１、２、３、４、５、もしくは６に示される配列、または少なくとも８０％の配列同一性を有するが、ｉ）ＢＣＭＡへの結合能、およびｉｉ）Ｔ細胞シグナリングを誘導する能力を保持する、それらのバリアントを含む、前述のいずれかの項目に記載のＣＡＲ。
（項目８）
前述のいずれかの項目に記載のＣＡＲをコードする核酸配列。
（項目９）
配列番号１５、１６、１７、１８、１９、もしくは２０に示される配列、または少なくとも８０％の配列同一性を有するそれらのバリアントを含む、項目８に記載の核酸配列。
（項目１０）
項目８または９に記載の核酸配列を含むベクター。
（項目１１）
項目１から７のいずれかに記載のＣＡＲを発現するＴ細胞またはＮＫ細胞。
（項目１２）
Ｔ細胞またはＮＫ細胞に、項目８または９に記載の核酸配列を導入する工程を含む、項目１１に記載のＴ細胞またはＮＫ細胞を作製する方法。
（項目１３）
項目１０に記載のベクター、または項目１１に記載のＴ細胞／ＮＫ細胞を、薬学的に許容できるキャリア、希釈剤、もしくは添加剤と一緒に含む薬学的組成物。
（項目１４）
項目１０に記載のベクター、または項目１１に記載のＴ細胞／ＮＫ細胞を、被験体に投与する工程を含む、形質細胞障害を処置する方法。
（項目１５）
前記形質細胞障害は、形質細胞腫、形質細胞性白血病、多発性骨髄腫、マクログロブリ
ン血症、アミロイドーシス、ワルデンストレーム型マクログロブリン血症、孤立性骨形質細胞腫、髄外性形質細胞腫、骨硬化性ミエローマ、Ｈ鎖病、意義不明の単クローン性免疫グロブリン血症、および無症候性骨髄腫より選択される、項目１４に記載の方法。
（項目１６）
前記形質細胞障害は、多発性骨髄腫である、項目１５に記載の方法。
（項目１７）
形質細胞障害の処置における使用のための、項目１０に記載のベクター、または項目１１に記載のＴ細胞／ＮＫ細胞。
（項目１８）
形質細胞障害を処置するための医薬の製造における、項目１０に記載のベクター、または項目１１に記載のＴ細胞／ＮＫ細胞の使用。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
炭素−炭素多重結合を横断しての環形成の方法であって、当該プロセスが、Ｎ−アルキル−Ｎ−ニトロソ化合物を炭素−炭素多重結合を保有する基質と反応させる、ここでＮ−アルキル−Ｎ−ニトロソ化合物がin situで発生し、Ｎ−アルキル−Ｎ−ニトロソ化合物を最初に単離せずに基質に加える、ステップを含む、前記方法。
【請求項２】
Ｎ−アルキル−Ｎ−ニトロソ化合物がＮ−アルキル−Ｎ−ニトロソ尿素の有機溶液であり、かつここでＮ−アルキル−Ｎ−ニトロソ尿素を固体形態において最初に単離せずに基質に加える、請求項１に記載の方法。
【請求項３】
Ｎ−アルキル−Ｎ−ニトロソ化合物がＮ−メチル−Ｎ−ニトロソ化合物（ＭＮＣ）である、請求項１に記載の方法。
【請求項４】
Ｎ−アルキル−Ｎ−ニトロソ化合物がＮ−メチル−Ｎ−ニトロソ−尿素（ＭＮＵ）、Ｎ−メチル−Ｎ−ニトロソ−ｐ−トルエンスルホンアミド（DiazaldTM）、Ｎ−ニトロソ−ジメチルウレタン、ニトロソ−ＥＭＵおよびＮ−ニトロソ−β−メチルアミノイソブチルメチルケトン（ＮＭＫ）からなる群から選択される、請求項１に記載の方法。
【請求項５】
Ｎ−アルキル−Ｎ−ニトロソ化合物を炭素−炭素多重結合を保有する基質と、水性塩基および触媒の存在下で反応させる、請求項１〜４のいずれか一項に記載の方法。
【請求項６】
炭素−炭素二重結合をシクロプロパン環に変換する方法であって、以下のステップ：
Ｉ）液相中でのＮ−アルキル−Ｎ−ニトロソ化合物の合成、
ＩＩ）有機Ｎ−アルキル−Ｎ−ニトロソ化合物含有液相の水相からの分離、および
ＩＩＩ）有機液相中のＮ−アルキル−Ｎ−ニトロソ化合物をアルケン基質を含む混合物中に移送し、それによってアルケン基質をシクロプロパン化すること
を含む、前記方法。
【請求項７】
触媒が遷移金属触媒、より特定的にはパラジウム触媒、なおより特定的にはＰｄ（ａｃａｃ）２、Ｐｄ（ＯＡｃ）２またはＰｄＣｌ２などのパラジウム触媒、である、請求項５または６に記載の方法。
【請求項８】
炭素−炭素多重結合を保有する基質が末端（単置換）アルケンである、請求項１〜７のいずれか一項に記載の方法。
【請求項９】
炭素−炭素多重結合を保有する基質が式
【化１】
2016538335.tif 000001
式中、Ｒ１およびＲ２は、互いに独立して水素、アルキル、アルキリデンまたはアリールであってもよく、それは分枝状または非分枝状および置換または非置換であってもよく；
ならびにＲ３は、アルキル、アルキリデンまたはアリールであってもよく、それは分枝状または非分枝状および置換または非置換であってもよい、
で表される化合物である、請求項５〜８のいずれか一項に記載の方法。
【請求項１０】
基質がイソプレノイドである、請求項８または９に記載の方法。
【請求項１１】
末端イソプレン単位にて＞７０％の選択性、優先的に＞８０％の選択性、優先的に＞９０％の選択性でモノ−またはビス−シクロプロパン化されている、ミルセン、オシメン、ファルネセンまたは高級ポリプレノイド誘導体。
【請求項１２】
式
【化２】
2016538335.tif 000002
式中、ｎ＝０、１、２または３である、
による、請求項８に記載の化合物。
【請求項１３】
式
【化３】
2016538335.tif 000003
式中、Ｒ’は、シクロプロパンの１および／または２位に位置する、ｎ＝０、１または２である分枝状または非分枝状Ｃ１〜Ｃ５アルキルラジカルであり、
ならびにＲ’’は、Ｃ３〜Ｃ１０ラジカルであり、任意に置換されており、不飽和であり、１個または２個以上のヘテロ原子、イミン、アルコール、アセタールおよびエステル、アルデヒドまたはケトンを含むカルボニル基を含み、
ただし化合物は、１−（４−シクロプロピルフェニル）プロピルアミンまたは１−（３−シクロプロピルフェニル）プロピルアミンではない、
による化合物。
【請求項１４】
末端イソプレン単位にて＞７０％の選択性、優先的に＞８０％の選択性、優先的に＞９０％の選択性でモノ−またはビス−シクロプロパン化されている、ミルセン、オシメン、ファルネセンまたは高級ポリプレノイド誘導体を生じる、請求項１〜１０のいずれか一項に記載の方法。
【請求項１５】
式
【化４】
2016538335.tif 000004
式中、Ｒ’は、シクロプロパンの１および／または２位に位置する、ｎ＝０、１または２である分枝状または非分枝状Ｃ１〜Ｃ５アルキルラジカルであり、
ならびにＲ’’は、Ｃ３〜Ｃ１０ラジカルであり、任意に置換されており、不飽和であり、１個または２個以上のヘテロ原子、イミン、アルコール、アセタールおよびエステル、アルデヒドまたはケトンを含むカルボニル基を含む、
で表される化合物を生じる、請求項１〜１０のいずれか一項に記載の方法。
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
非経口又は経粘膜経路での同時、分離及び後続投与のための、プロ酵素及び酵素の混合物を含む抗増殖及び抗転移医薬組成物であって、当該組成物が以下の活性物質：プロ酵素のトリプシノーゲン及びキモトリプシノーゲン並びに酵素のα−アミラーゼ及びリパーゼからなり、ここで、酵素活性物質、すなわちｍ．ｕ．で表されるＴ：ＣＨ：Ａ：Ｌの比率についてトリプシノーゲン（Ｔ）、キモトリプシノーゲンＡ（ＣＨ）、α−アミラーゼＢ．ｓ（Ａ）及びリパーゼＴ．ａ（Ｌ）の活性の比率が、１５０：１５０：４０：１から４００：１２００：２００：１までの範囲内であり、そして、１又は複数の薬学的に許容される賦形剤をさらに含み、さらに、当該組成物が、哺乳動物における治療的、予防的及び抗転移性の使用向けであることを特徴とする、医薬組成物。
【請求項２】
有利には、トリプシノーゲンはＩ型であり、キモトリプシノーゲンはＡ型であり、α−アミラーゼはバチルス種によって産生され、そしてリパーゼはパンコムギ（Triticum aestivum）由来であることを特徴とする、請求項１に記載の医薬組成物。
【請求項３】
活性物質の最小酵素活性が以下：トリプシノーゲン４０ｍ．ｕ．／ｍｇ、キモトリプシノーゲン６０ｍ．ｕ．／ｍｇ、α−アミラーゼ２０ｍ．ｕ．／ｍｇ、及びリパーゼ１ｍ．ｕ．／ｍｇ、であることを特徴とする、請求項１又は２に記載の医薬組成物。
【請求項４】
少なくとも１つの活性物質が、高等植物、動物からの抽出によって、あるいは、糸状菌（mould）細胞、酵母細胞又は細菌を用いた培養手法によって得られる生物学的に類似の活性物質で置換されており、前記生物学的に類似の活性物質が、置換された組成物中の活性物質と、その一次構造が少なくとも７０％同一であり、かつ、その効果に不可欠な活性部位（active places）の位置が少なくとも９５％同一であることを特徴とする、請求項１から３のいずれか一項に記載の医薬組成物。
【請求項５】
前記組成物が、全身性の舌下、直腸、吸入又は非経口投与向けであることを特徴とする、請求項１から４のいずれか一項に記載の医薬組成物。
【請求項６】
前記薬学的に許容される賦形剤として以下：１又は複数の、分子量１００から８，０００のポリエチレングリコールを含む親水性の多価アルコール、
及び／又は、親水性の低分子アルコール、
及び／又は、糖類、
及び／又は、ポリソルベート、ポロキサマー、
及び／又は、１又は複数の、水素化トリグリセリドを含む親油性賦形剤、
及び／又は、高級脂肪酸とグリセロールもしくはプロピレングリコールとのエステル、
及び／又は、低級一価アルコールのエステル、
及び／又は、ステアリン酸ミリスチル、ステアリン酸カプリル、パルミチン酸セチル、ベヘン酸カプリン、オレイン酸ラウロイルを含む、高級脂肪酸と中級及び高級脂肪族アルコールとのエステル、
及び／又は、ラウリルアルコール、ミリスチルアルコール、パルミチルアルコール、ステアリルアルコール、ベヘニルアルコールを含む高級脂肪族アルコール、及び、同様に高級脂肪酸、及び、それらのエトキシ化誘導体、及び／又は、綿実油、ヒマワリ油、落花生油、大豆油、ヒマシ油を含む植物油、及び、それらのエトキシ化誘導体、
及び／又は、卵レシチン、大豆レシチン、ジオレイルフォスファチジルコリン、ジパルミトイルホスファチジルセリンを含むリン脂質、
及び／又は、コレステロール、及び、コレステロールの誘導体、を含むステロール、
及び／又は、生体適合性及び生分解性ポリマー、
を含むことを特徴とする、請求項１から５のいずれか一項に記載の医薬組成物。
【請求項７】
ナノファイバーの形態であり、同時に以下、
少なくとも１つの、約３０，０００から５０，０００の分子量を有するポリビニルポリマー、及び、２０，０００から２００，０００までの分子量を有するポリビニルアルコール、４，０００から８０，０００までの分子量を有する、セルロース誘導体、及び／又は、デンプン型の多糖類、及び／又は、デキストリン、
及び／又は、１０，０００から８０，０００までの分子量を有するデキストラン型の生物工学的な多糖類、
及び／又は、１０，０００から１００，０００までの分子量を有する、グルクロン酸型物質、及び／又は、さらに、ポリウロニドもしくは、それらの塩、及び／又は、アクリル酸、メタクリル酸に基づくポリマー、及び／又は、糖のポリアルケニルエーテル若しくはポリアルコールと架橋されたそれらのコポリマー、α−ヒドロキシ酸の生分解性ポリエステル、
さらにコポリマー型のポリマー賦形剤、
を含むことを特徴とする、舌下投与のために設計された、請求項１から５のいずれか一項に記載の医薬組成物。
【請求項８】
少なくとも１又は複数の、トレハロース、マンニトール、グルコース及び／又は種々の形態のラクトースを含む糖類を含むことを特徴とする、吸入投与のために設計された、請求項１から６のいずれか一項に記載の医薬組成物又はその一部。
【請求項９】
活性物質の直接投与のため、あるいは、中間生成物における又は最終調製物における活性物質の安定貯蔵としてのためのナノファイバー安定化調製物の形態であることを特徴とする、請求項１から８のいずれか一項に記載の医薬組成物。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
ａ．１１〜２２重量％のジフルオロメタンと、
ｂ．４６〜５９重量％のペンタフルオロエタンと、
ｃ．２１〜３５重量％の２，３，３，３−テトラフルオロプロペンと、
を含む冷媒組成物。
【請求項２】
請求項１に記載の組成物を含有する、蒸発器、凝縮器、圧縮機及び膨張装置を備える冷却システム。
【請求項３】
輸送用冷却ユニット（transport refrigeration unit）である請求項２に記載の冷却システム。
【請求項４】
冷却すべき本体付近で、請求項１に記載の組成物を蒸発する工程と、その後、前記組成物を凝縮する工程を含む、冷却を生み出す方法。
【請求項５】
Ｒ−４０４Ａを請求項１に記載の冷媒組成物と置換する工程を含む、冷却システムにおいてＲ−４０４Ａを置換する方法。
【請求項６】
Ｒ−５０７Ａを請求項１に記載の冷媒組成物と置換する工程を含む、冷却システムにおいてＲ−５０７Ａを置換する方法。
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
化学機械研磨組成物であって、
（ａ）セリア粒子であり、３０ｎｍ〜１μｍの平均粒子サイズを有し、０．００５〜２ｗｔ％の濃度で前記研磨組成物中に存在する、第１の研磨粒子と、
（ｂ）セリア粒子、表面が修飾されたシリカ粒子、又は有機粒子であり、１ｎｍ〜６０ｎｍの平均粒子サイズを有し、０．００５〜２ｗｔ％の濃度で前記研磨組成物中に存在する、第２の研磨粒子と、
（ｃ）官能化ピリジン、安息香酸、アミノ酸、又はそれらの組み合わせと、
（ｄ）ｐＨ調整剤と、
（ｅ）水性キャリヤーと
を含み、多峰性の粒度分布を示し、ｐＨが３．５〜９である、化学機械研磨組成物。
【請求項２】
前記第１の研磨粒子が、５０ｎｍ〜７０ｎｍの平均粒子サイズを有する、請求項１に記載の化学機械研磨組成物。
【請求項３】
前記第２の研磨粒子がセリア粒子であり、２０ｎｍ〜４０ｎｍの平均粒子サイズを有する、請求項１に記載の化学機械研磨組成物。
【請求項４】
前記研磨組成物中に存在する、前記第１の研磨粒子の濃度と前記第２の研磨粒子の濃度の比が１：１〜５：１である、請求項３に記載の化学機械研磨組成物。
【請求項５】
前記第２の研磨粒子がセリア粒子であり、１ｎｍ〜１５ｎｍの平均粒子サイズを有する、請求項１に記載の化学機械研磨組成物。
【請求項６】
前記研磨組成物中に存在する、前記第１の研磨粒子の濃度と前記第２の研磨粒子の濃度の比が３：１〜６：１である、請求項５に記載の化学機械研磨組成物。
【請求項７】
前記第２の研磨粒子が、表面が修飾されたシリカ粒子であり、１ｎｍ〜４０ｎｍの平均粒子サイズを有する、請求項１に記載の化学機械研磨組成物。
【請求項８】
前記第２の研磨粒子がカチオン性のシリカ粒子である、請求項７に記載の化学機械研磨組成物。
【請求項９】
前記研磨組成物中に存在する、前記第１の研磨粒子の濃度と前記第２の研磨粒子の濃度の比が１：１〜１５：１である、請求項７に記載の化学機械研磨組成物。
【請求項１０】
前記第２の研磨粒子が、ゼラチン、ラテックス、セルロース、ポリスチレン、及びポリアクリレートから選択される有機粒子であり、１ｎｍ〜４０ｎｍの平均粒子サイズを有する、請求項１に記載の化学機械研磨組成物。
【請求項１１】
前記第２の研磨粒子がゼラチン粒子である、請求項１０に記載の化学機械研磨組成物。
【請求項１２】
前記研磨組成物中に存在する、前記第１の研磨粒子の濃度と前記第２の研磨粒子の濃度の比が１：１〜３０：１である、請求項１０に記載の化学機械研磨組成物。
【請求項１３】
前記官能化ピリジン、安息香酸、又はアミノ酸がピコリン酸である、請求項１に記載の化学機械研磨組成物。
【請求項１４】
前記ｐＨ調整剤が、アルキルアミン、アルコールアミン、第四級水酸化アミン、アンモニア、又はそれらの組み合わせである、請求項１に記載の化学機械研磨組成物。
【請求項１５】
前記ｐＨ調整剤がトリエタノールアミンである、請求項１４に記載の化学機械研磨組成物。
【請求項１６】
前記研磨組成物のｐＨが３．５〜５である、請求項１に記載の化学機械研磨組成物。
【請求項１７】
化学機械研磨組成物であって、
（ａ）セリア粒子であり、３０ｎｍ〜１μｍの平均粒子サイズを有し、０．００５〜２ｗｔ％の濃度で前記研磨組成物中に存在する、第１の研磨粒子と、
（ｂ）セリア粒子、表面が修飾されたシリカ粒子、又は有機粒子であり、１ｎｍ〜６０ｎｍの平均粒子サイズを有し、０．００５〜２ｗｔ％の濃度で前記研磨組成物中に存在する、第２の研磨粒子と、
（ｃ）ポリエチレングリコール（ＰＥＧ）、ポリビニルアルコール、ポリ（ヒドロキシエチルメタクリレート）、ポリ（ヒドロキシエチルメタクリレート）のコポリマー、セルロース、カチオン性デンドリマー、メタクリロイルオキシエチルトリメチルアンモニウムのモノマー若しくはホモポリマー、又はそれらの組み合わせから選択されるポリマー添加物と、
（ｄ）ｐＨ調整剤と、
（ｅ）水性キャリヤーと
を含み、多峰性の粒度分布を示し、ｐＨが６〜９である、化学機械研磨組成物。
【請求項１８】
（ｉ）基材を提供する工程、
（ｉｉ）研磨パッドを提供する工程、
（ｉｉｉ）請求項１に記載の化学機械研磨組成物を提供する工程、
（ｉｖ）前記基材を前記研磨パッド及び前記化学機械研磨組成物に接触させる工程、並びに、
（ｖ）前記基材に対して、前記研磨パッド及び前記化学機械研磨組成物を動かし、前記基材の少なくとも一部をすり減らして、前記基材を研磨する工程
を含む、基材の研磨方法。
【請求項１９】
（ｉ）酸化ケイ素の層を含む基材を提供する工程、
（ｉｉ）研磨パッドを提供する工程、
（ｉｉｉ）請求項１〜１６のいずれか１項に記載の化学機械研磨組成物を提供する工程、
（ｉｖ）前記基材を前記研磨パッド及び前記化学機械研磨組成物に接触させる工程、並びに、
（ｖ）前記基材に対して、前記研磨パッド及び前記化学機械研磨組成物を動かし、前記基材の表面の酸化ケイ素の層の少なくとも一部をすり減らして、前記基材を研磨する工程
を含む、基材の研磨方法。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
イミダゾール類、トリアジン類、トリアゾン類、及びトリアゾール類、並びにこれらの混合物から選択される有機ＵＶフィルター化合物の、ディーゼル燃料組成物における燃焼改善剤としての使用。
【請求項２】
ディーゼル燃料組成物の着火遅れを調整する目的の、請求項１に記載の有機ＵＶフィルター化合物の使用。
【請求項３】
ディーゼル燃料組成物の燃焼期間を調整する目的の、請求項１に記載の有機ＵＶフィルター化合物の使用。
【請求項４】
ディーゼル燃料組成物のセタン価を増加させる目的の、請求項１に記載の有機ＵＶフィルター化合物の使用。
【請求項５】
（ａ）内燃エンジンにおいて用いるのに好適なディーゼル基燃料；
（ｂ）液体燃料組成物の重量基準で１０ｐｐｍｗ〜２重量％の範囲の、イミダゾール類、トリアジン類、トリアゾン類、及びトリアゾール類、並びにこれらの混合物から選択される１種類以上の有機ＵＶフィルター化合物；
を含む液体燃料組成物。
【請求項６】
イミダゾール類が、ジナトリウムフェニルジベンジルイミダゾールテトラスルホネート、エチルヘキシルジメトキシベンジリデンジオキソイミダゾリンプロピオネート、フェニルベンズイミダゾールスルホン酸、及びこれらの混合物から選択される、請求項５に記載の液体燃料組成物。
【請求項７】
トリアジン類がフェニルトリアジン類から選択される、請求項５に記載の液体燃料組成物。
【請求項８】
フェニルトリアジン類が、ビスエチルヘキシルオキシフェノールメトキシフェニルトリアジン、ビスベンゾオキサゾリルフェニルエチルヘキシルアミノ、及びこれらの混合物から選択される、請求項７に記載の液体燃料組成物。
【請求項９】
トリアゾン類が、ジエチルヘキシルブタミドトリアゾン、エチルヘキシルトリアゾン、及びこれらの混合物から選択される、請求項５に記載の液体燃料組成物。
【請求項１０】
トリアゾール類が、ドロメトリゾール、及びエチレンビスベンゾトリアゾリルテトラメチルブチルフェノール、並びにこれらの混合物から選択される、請求項５に記載の液体燃料組成物。
【請求項１１】
ディーゼル燃料組成物の着火遅れを調整し、及び／又はセタン価を増加させ、及び／又は燃焼期間を調整し、および／又はピーク圧力を調整する方法であって、イミダゾール類、トリアジン類、トリアゾン類、及びトリアゾール類、並びにこれらの混合物から選択される所定量の有機ＵＶフィルター化合物を組成物に加えることを含む上記方法。
【手続補正２】
【補正対象書類名】明細書
【補正対象項目名】００９６
【補正方法】変更
【補正の内容】
【００９６】
幾つかのエンジン運転条件下において、有機ＵＶフィルター化合物は、ディーゼル基燃料のセタン価の増加を与えることができ、且つ着火遅れ、ピーク圧力、及び／又は燃焼期間を調整することができた。
以下、出願時の特許請求の範囲の内容を記載する。
［１］
イミダゾール類、トリアジン類、トリアゾン類、及びトリアゾール類、並びにこれらの混合物から選択される有機ＵＶフィルター化合物の、ディーゼル燃料組成物における燃焼改善剤としての使用。
［２］
ディーゼル燃料組成物の着火遅れを調整する目的の、前記１に記載の有機ＵＶフィルター化合物の使用。
［３］
ディーゼル燃料組成物の燃焼期間を調整する目的の、前記１に記載の有機ＵＶフィルター化合物の使用。
［４］
ディーゼル燃料組成物のセタン価を増加させる目的の、前記１に記載の有機ＵＶフィルター化合物の使用。
［５］
（ａ）内燃エンジンにおいて用いるのに好適なディーゼル基燃料；
（ｂ）液体燃料組成物の重量基準で１０ｐｐｍｗ〜２重量％の範囲の、イミダゾール類、トリアジン類、トリアゾン類、及びトリアゾール類、並びにこれらの混合物から選択される１種類以上の有機ＵＶフィルター化合物；
を含む液体燃料組成物。
［６］
イミダゾール類が、ジナトリウムフェニルジベンジルイミダゾールテトラスルホネート、エチルヘキシルジメトキシベンジリデンジオキソイミダゾリンプロピオネート、フェニルベンズイミダゾールスルホン酸、及びこれらの混合物から選択される、前記１〜５のいずれかに記載の液体燃料組成物。
［７］
トリアジン類がフェニルトリアジン類から選択される、前記１〜５のいずれかに記載の液体燃料組成物。
［８］
フェニルトリアジン類が、ビスエチルヘキシルオキシフェノールメトキシフェニルトリアジン、ビスベンゾオキサゾリルフェニルエチルヘキシルアミノ、及びこれらの混合物から選択される、前記７に記載の液体燃料組成物。
［９］
トリアゾン類が、ジエチルヘキシルブタミドトリアゾン、エチルヘキシルトリアゾン、及びこれらの混合物から選択される、前記１〜５のいずれかに記載の液体燃料組成物。
［１０］
トリアゾール類が、ドロメトリゾール、及びエチレンビスベンゾトリアゾリルテトラメチルブチルフェノール、並びにこれらの混合物から選択される、前記１〜５のいずれかに記載の液体燃料組成物。
［１１］
ディーゼル燃料組成物の着火遅れを調整し、及び／又はセタン価を増加させ、及び／又は燃焼期間を調整し、および／又はピーク圧力を調整する方法であって、イミダゾール類、トリアジン類、トリアゾン類、及びトリアゾール類、並びにこれらの混合物から選択される所定量の有機ＵＶフィルター化合物を組成物に加えることを含む上記方法。
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
ポリマー（ｐ−スルホ，２５−（４−ビニルベンジル）−２６，２７，２８−ヒドロキシカリックス［Ｘ］アレーン）であって、Ｘが４、６、８、１０又はそれ以上から選ばれるもの、またはＸが４、６、８又は１０であるもの、またはＸが４であるものとする、ポリマー。
【請求項２】
ポリマー（２５−（４−ビニルベンジル）−２６，２７，２８−ヒドロキシカリックス［Ｘ］アレーン）であって、Ｘが４、６、８又は１０から選ばれるもの、またはＸが４であるものとする、ポリマー。
【請求項３】
請求項１に記載のポリ（ｐ−スルホ，２５−（４−ビニルベンジル）−２６，２７，２８−ヒドロキシカリックス［Ｘ］アレーン）を調製する方法であって、
ａ）４−ビニル安息香酸を４−ビニルベンジルアルコールに還元する工程、
ｂ）４−ビニルベンジルアルコールを臭素と混合して臭化４−ビニルベンジルを形成させる工程、
ｃ）臭化４−ビニルベンジルをカリックス［Ｘ］アレーンと混合して２５−（４−ビニルベンジル）−２６，２７，２８−ヒドロキシカリックス［Ｘ］アレーンを得る工程、
ｄ）２５−（４−ビニルベンジル）−２６，２７，２８−ヒドロキシカリックス［Ｘ］アレーンとアゾビスイソブチロニトリルとを混合してポリ（２５−（４−ビニルベンジル）−２６，２７，２８−ヒドロキシカリックス［Ｘ］アレーン）を得る工程、および
ｅ）ポリ（２５−（４−ビニルベンジル）−２６，２７，２８−ヒドロキシカリックス［Ｘ］アレーン）にスルホン化化合物を添加し、Ｘが４、６、８又は１０であるものとする工程を含む方法、または
ａ）２５−（４−ビニルベンジル）−２６，２７，２８−ヒドロキシカリックス［Ｘ］アレーンとアゾビスイソブチロニトリルとを混合してポリ（２５−（４−ビニルベンジル）−２６，２７，２８−ヒドロキシカリックス［Ｘ］アレーン）を得る工程、および
ｂ）ポリ（２５−（４−ビニルベンジル）−２６，２７，２８−ヒドロキシカリックス［Ｘ］アレーン）にスルホン化剤である硫酸（Ｓｕｌｆｏｎａｔｉｎｇ  ａｇｅｎｔ  ｓｕｌｆａｔｅ）を添加し、Ｘが４、６、８又は１０であるものとする工程を含む方法。
【請求項４】
モノマー２５−（４−ビニルベンジル）−２６，２７，２８−ヒドロキシカリックス［４］アレーン。
【請求項５】
電気化学的に応答する方法であって、ゲスト分子を可逆的に結合させるための、請求項１又は２に記載のポリマーを使用することを含む方法。
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
第１のガラス層と；
第２のガラス層と；
前記第１および第２のガラス層の中間に介在するポリマー中間層構造と
を備えたラミネート構造において、
前記ポリマー中間層構造が、
前記第１のガラス層に隣接する第１のポリマー層と、
前記第２のガラス層に隣接する第２のポリマー層と、
前記第１および第２のポリマー層の中間に介在するポリマーコアであって、ポリシロキサン、ポリエステル、ポリカーボネート、前記１種以上を含むコポリマーおよびそれらの組合せの１種以上を含むポリマーコアと
から構成され、
前記第１のガラス層が強化ガラスから構成され、前記第２のガラス層が、化学的に強化されたガラスまたは熱的に強化されたガラスから構成されることを特徴とする、ラミネート構造。
【請求項２】
前記第１および第２のガラス層の厚さが、１．５ｍｍ以下の厚さ、１．０ｍｍ以下の厚さ、０．７ｍｍ以下の厚さ、０．５ｍｍ以下の厚さ、約０．１ｍｍ〜約１．０ｍｍの範囲内の厚さ、約０．５ｍｍ〜約１．０ｍｍの厚さ、約０．５ｍｍ〜約０．７ｍｍの厚さからなる群から選択されることを特徴とする、請求項１に記載のラミネート構造。
【請求項３】
前記第１および第２のガラス層の前記厚さが異なるか、前記第１および第２のガラス層の組成が異なるか、または前記第１および第２のポリマー層の組成が異なることを特徴とする、請求項１または２に記載のラミネート構造。
【請求項４】
前記コアが、
ａ．）次式：
【化１】
2016538227.tif 000001
または次式：
【化２】
2016538227.tif 000002
（式中、Ｅは４〜５０であり；それぞれのＲは、同一であるかまたは異なり、およびＣ１〜１３一価有機基であり、かつＲ２は、独立して、二価Ｃ１〜３０アルキレンまたはＣ７〜３０アリーレン−アルキレンであり；かつＡｒはＣ６〜３０アリーレン基である）のポリシロキサン単位と；
ｂ．）５０〜１００モルパーセントのアリレートエステル単位、５０モルパーセント未満の芳香族カーボネート単位、３０モルパーセント未満のレゾルシノールカーボネート単位、および３５モルパーセント未満のビスフェノールカーボネート単位からなるアリレート含有単位と
を含む、ポリシロキサンコポリマーを含み、
前記ポリシロキサン単位のうちの前記シロキサン単位が、ポリシロキサンコポリマー組成物において、前記ポリシロキサンコポリマー組成物の重量に基づき、０．２〜１０重量％の量で存在することを特徴とする、請求項１〜３のいずれか一項に記載のラミネート構造。
【請求項５】
前記ポリマー層が、前記組成物、１つ以上の難燃剤の全重量に基づき、０．１〜１．０重量％のリンを提供するために有効な量で有機リン化合物を含むことを特徴とする、請求項１〜４のいずれか一項に記載のラミネート構造。
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
塩形態の13-ヒドロペルオキシオクタデカ-9Z,11E-ジエン酸（13-HODE）、15-ヒドロペルオキシ-エイコサ-8(Z),11(Z),13(E)-トリエン酸（15-HETrE）、15-ヒドロペルオキシ-エイコサ-5(Z),8(Z),11(Z),13(E),17(Z)-ペンタエン酸（15-OHEPA）、又は15-ヒドロペルオキシ-5,8,11,13-エイコサテトラエン酸（15-HETE）であって、リジン塩、ナトリウム塩、オルニチン塩、ピペラジン塩、メグルミン塩、又はそれらの組み合わせである、前記塩。
【請求項２】
薬学的に許容される塩である、請求項１記載の塩。
【請求項３】
塩形態の13-ヒドロペルオキシオクタデカ-9Z,11E-ジエン酸（13-HODE）、15-ヒドロペルオキシ-エイコサ-8(Z),11(Z),13(E)-トリエン酸（15-HETrE）、15-ヒドロペルオキシ-エイコサ-5(Z),8(Z),11(Z),13(E),17(Z)-ペンタエン酸（15-OHEPA）、又は15-ヒドロペルオキシ-5,8,11,13-エイコサテトラエン酸（15-HETE）を含む薬学的組成物であって、該塩が、リジン塩、ナトリウム塩、オルニチン塩、ピペラジン塩、メグルミン塩、又はそれらの組み合わせである、前記薬学的組成物。
【請求項４】
賦形剤をさらに含む、請求項３記載の薬学的組成物。
【請求項５】
少なくとも約4週間の保管後、前記薬学的組成物が、前記塩形態の13-HODE、15-HETrE、15-OHEPA、又は15-HETEの初期量の少なくとも約98％、少なくとも約99％、又は約100％を含む、請求項３又は４記載の薬学的組成物。
【請求項６】
少なくとも約10週間の保管後、前記薬学的組成物が、前記塩形態の13-HODE、15-HETrE、15-OHEPA、又は15-HETEの初期量の少なくとも約90％、少なくとも約91％、少なくとも約92％、少なくとも約93％、少なくとも約94％、少なくとも約95％、少なくとも約96％、少なくとも約97％、少なくとも約98％、少なくとも約99％、又は約100％を含む、請求項３〜５のいずれか一項記載の薬学的組成物。
【請求項７】
前記薬学的組成物が、前記塩形態の13-HODE、15-HETrE、15-OHEPA、又は15-HETEの治療有効量を含む、請求項３〜６のいずれか一項記載の薬学的組成物。
【請求項８】
前記塩形態の13-HODE、15-HETrE、15-OHEPA、又は15-HETEの治療有効量が、約0.1重量％〜約20重量％である、請求項７記載の薬学的組成物。
【請求項９】
前記薬学的組成物が、局所投与に好適な形態である、請求項３〜８のいずれか一項記載の薬学的組成物。
【請求項１０】
それを必要とする対象において、ざ瘡、紅斑、感染、脂肪肝、神経障害、又は皮膚炎症若しくは障害を治療するための医薬の製造における、請求項３〜９のいずれか一項記載の薬学的組成物の使用。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
患者の慢性移植片対宿主病（ｃＧＶＨＤ）の処置に使用するための化合物であって、
該化合物は以下の構造を有する、化合物。
【化１】
2016538270.tif 000001
【請求項２】
ｃＧＶＨＤが、代表的なｃＧＶＨＤである、請求項１に記載の化合物。
【請求項３】
ｃＧＶＨＤが、重複したｃＧＶＨＤである、請求項１に記載の化合物。
【請求項４】
ｃＧＶＨＤが、ステロイド依存／難治性のｃＧＶＨＤである、請求項１に記載の化合物。
【請求項５】
ｃＧＶＨＤが、強皮症様のｃＧＶＨＤ、抗ステロイド性のｃＧＶＨＤ、抗シクロスポリン性のｃＧＶＨＤ、難治性のｃＧＶＨＤ、口腔ｃＧＶＨＤ、網状の口腔ｃＧＶＨＤ、びらん性のｃＧＶＨＤ、あるいは潰瘍性の口腔ｃＧＶＨＤである、請求項１に記載の化合物。
【請求項６】
ｃＧＶＨＤが、強皮症様のｃＧＶＨＤである、請求項５に記載の化合物。
【請求項７】
ｃＧＶＨＤが、抗ステロイド性のｃＧＶＨＤである、請求項５に記載の化合物。
【請求項８】
ｃＧＶＨＤが、抗シクロスポリン性のｃＧＶＨＤである、請求項５に記載の化合物。
【請求項９】
ｃＧＶＨＤが、難治性のｃＧＶＨＤである、請求項５に記載の化合物。
【請求項１０】
ｃＧＶＨＤが、口腔ｃＧＶＨＤである、請求項５に記載の化合物。
【請求項１１】
ｃＧＶＨＤが、網状の口腔ｃＧＶＨＤである、請求項５に記載の化合物。
【請求項１２】
ｃＧＶＨＤが、びらん性のｃＧＶＨＤである、請求項５に記載の化合物。
【請求項１３】
ｃＧＶＨＤが、潰瘍性の口腔ｃＧＶＨＤである、請求項５に記載の化合物。
【請求項１４】
患者は慢性リンパ性白血病（ＣＬＬ）に罹患している、請求項１乃至１３のいずれか１項に記載の化合物。
【請求項１５】
患者は造血細胞移植を受けた患者である、請求項１乃至１３のいずれか１項に記載の化合物。
【請求項１６】
化合物は、約４０ｍｇ／日、約１４０ｍｇ／日、約２８０ｍｇ／日、約４２０ｍｇ／日、約５６０ｍｇ／日、あるいは約８４０ｍｇ／日の量で投与される、請求項１乃至１５のいずれか１項に記載の化合物。
【請求項１７】
化合物は、約４０ｍｇ／日の量で投与される、請求項１乃至１６のいずれか１項に記載の化合物。
【請求項１８】
化合物は、約１４０ｍｇ／日の量で投与される、請求項１乃至１６のいずれか１項に記載の化合物。
【請求項１９】
化合物は、約２８０ｍｇ／日の量で投与される、請求項１乃至１６のいずれか１項に記載の化合物。
【請求項２０】
化合物は、約４２０ｍｇ／日の量で投与される、請求項１乃至１６のいずれか１項に記載の化合物。
【請求項２１】
化合物は、約５６０ｍｇ／日の量で投与される、請求項１乃至１６のいずれか１項に記載の化合物。
【請求項２２】
化合物は、約８４０ｍｇ／日の量で投与される、請求項１乃至１６のいずれか１項に記載の化合物。
【請求項２３】
化合物は、１日当たり０．１ｍｇ／ｋｇから１日当たり１００ｍｇ／ｋｇの間の用量で投与される、請求項１乃至１５のいずれか１項に記載の化合物。
【請求項２４】
化合物は、経口で投与される、請求項１乃至２３のいずれか１項に記載の化合物。
【請求項２５】
化合物は、１日あたり１回投与される、請求項１乃至２４のいずれか１項に記載の化合物。
【請求項２６】
化合物の投与後、患者が部分応答（ＰＲ）を達成し、
ＰＲは、どこにも進行の証拠が無く、補足全身治療を必要としない、患者の１つの関連する臓器における客観的な反応である、請求項１乃至２５のいずれか１項に記載の化合物。
【請求項２７】
化合物の投与後、患者が完全寛解（ＣＲ）を達成し、
ＣＲは、ｃＧＶＨＤに起因する症状の完全な回復である、請求項１乃至２５のいずれか１項に記載の化合物。
【請求項２８】
化合物の投与後、ｃＧＶＨＤの重症度が減少する、請求項１乃至２５のいずれか１項に記載の化合物。
【請求項２９】
化合物が、１つ以上の補足治療薬との組み合わせで投与される、請求項１乃至２８のいずれか１項に記載の化合物。
【請求項３０】
補足治療薬が、コルチコステロイド、シクロスポリン、ミコフェノール酸モフェチル、あるいはその組み合わせである、請求項２９に記載の化合物。
【誤訳訂正書】
【提出日】平成29年8月22日(2017.8.22)
【誤訳訂正１】
【訂正対象書類名】特許請求の範囲
【訂正対象項目名】全文
【訂正方法】変更
【訂正の内容】
【特許請求の範囲】
【請求項１】
陽イオン百分率含有量として、Ｐ５＋：３０〜４０％、Ａｌ３＋：１２〜２０％、Ｂａ２＋：３０〜４０％、Ｃａ２＋：１．３〜１２％、Ｓｒ２＋：１〜１０％、Ｌａ３＋：０〜５％、Ｇｄ３＋：０〜６％、Ｙ３＋：０〜１０％を含有し、陰イオン百分率含有量として、Ｆ−：２５〜４０％、Ｏ２−：６０〜７５％を含有するフルオロリン酸塩光学ガラスであって、
含有量比（Ｓｒ２＋＋Ｃａ２＋＋Ｌａ３＋＋Ｇｄ３＋＋Ｙ３＋）／Ｂａ２＋が０．２２〜０．６５である、フルオロリン酸塩光学ガラス。
【請求項２】
陽イオン百分率含有量として、更にＭｇ２＋：０〜５％、Ｚｎ２＋：０〜５％、Ｓｉ４＋：０〜３％、Ｂ３＋：０〜５％、Ｇｅ４＋：０〜３％、Ｌｉ＋：０〜１２％、Ｎａ＋：０〜５％、Ｋ＋：０〜５％、Ｙｂ３＋：０〜５％、Ｓｂ３＋：０〜０．５％、Ｓｎ４＋：０〜１％、Ｃｅ４＋：０〜１％を含有し、陰イオン百分率含有量として、更にＣｌ−：０〜１％、Ｉ−：０〜１％、Ｂｒ−：０〜１％を含有する、請求項１に記載のフルオロリン酸塩光学ガラス。
【請求項３】
更にＭｇ２＋：０〜３％、Ｚｎ２＋：０〜３％、Ｓｉ４＋：０〜１％、Ｇｅ４＋：０〜１％、Ｂ３＋：０〜２％、Ｌｉ＋：０〜１０％、Ｎａ＋：０〜３％、Ｋ＋：０〜３％を含有し、Ｃｌ−＋Ｉ−＋Ｂｒ−の合計量が０より大きく１％以下である、請求項２に記載のフルオロリン酸塩光学ガラス。
【請求項４】
Ｌｉ＋を含有する、請求項２に記載のフルオロリン酸塩光学ガラス。
【請求項５】
Ｃｌ−＋Ｉ−＋Ｂｒ−の合計量が０より大きく０．８％以下である、請求項２に記載のフルオロリン酸塩光学ガラス。
【請求項６】
Ｃｌ−を含有する、請求項２に記載のフルオロリン酸塩光学ガラス。
【請求項７】
Ｓｂ３＋＋Ｓｎ４＋＋Ｃｅ４＋の合計量が０より大きく１％以下である、請求項２に記載のフルオロリン酸塩光学ガラス。
【請求項８】
Ｓｂ３＋、Ｓｎ４＋及びＣｅ４＋の少なくとも１種、及びＣｌ−、Ｉ−及びＢｒ−の少なくとも１種が清澄剤として使用される、請求項２に記載のフルオロリン酸塩光学ガラス。
【請求項９】
Ｐ５＋はメタリン酸塩により導入され；Ａｌ３＋は、Ａｌ（ＰＯ３）３、ＡｌＦ３及びＡｌ２Ｏ３の１種以上の形態で導入され；Ｂａ２＋は、Ｂａ（ＰＯ３）２、ＢａＦ２、ＢａＣＯ３、ＢａＣｌ２及びＢａ（ＮＯ３）２の１種以上の形態で導入され；Ｃａ２＋、Ｓｒ２＋及びＭｇ２＋は、それぞれそのフッ化物、メタリン酸塩及び炭酸塩の１種以上の形態で導入され；Ｌａ３＋、Ｇｄ３＋、Ｙ３＋及びＹｂ３＋は、酸化物及びフッ化物の１種以上の形態で導入され；Ｓｂ３＋、Ｓｎ４＋及びＣｅ４＋は、酸化物及びフッ化物の１種以上の形態で導入され；Ｆ−はフッ化物の形態で導入され；Ｏ２−はメタリン酸塩、酸化物、炭酸塩及び硝酸塩の１種以上の形態で導入され；Ｃｌ−、Ｉ−及びＢｒ−はそれぞれＢａＣｌ２、ＫＩ及びＫＢｒの形態で導入される、請求項２に記載のフルオロリン酸塩光学ガラス。
【請求項１０】
含有量比（Ｓｒ２＋＋Ｃａ２＋＋Ｌａ３＋＋Ｇｄ３＋＋Ｙ３＋）／Ｂａ２＋が０．２５〜０．５０である、請求項１又は請求項２に記載のフルオロリン酸塩光学ガラス。
【請求項１１】
Ｌａ３＋＋Ｇｄ３＋＋Ｙ３＋の合計量が２〜１０％である、請求項１又は請求項２に記載のフルオロリン酸塩光学ガラス。
【請求項１２】
更にＰ５＋：３２〜３７．５％、Ａｌ３＋：１２〜１９％、Ｂａ２＋：３２〜３８％、Ｃａ２＋：１．５〜８％、Ｓｒ２＋：１〜８％、Ｌａ３＋：０〜４％、Ｇｄ３＋：１〜５％、Ｙ３＋：１〜８％、Ｆ−：２８〜３５％、Ｏ２−：６５〜７２％を含有する、請求項１又は請求項２に記載のフルオロリン酸塩光学ガラス。
【請求項１３】
Ｂａ２＋：３３〜３７．８％、及びＳｒ２＋：２〜８％を含有する、請求項１又は請求項２に記載のフルオロリン酸塩光学ガラス。
【請求項１４】
含有量比Ａｌ３＋／Ｐ５＋が０．６３未満である、請求項１又は請求項２に記載のフルオロリン酸塩光学ガラス。
【請求項１５】
光学ガラスの光弾性係数Ｂが０．５×１０−１２Ｐａ未満である、請求項１又は請求項２に記載のフルオロリン酸塩光学ガラス。
【請求項１６】
光学ガラスの特殊色分散△Ｐｇ，Ｆが０．０１１を上回る、請求項１又は請求項２に記載のフルオロリン酸塩光学ガラス。
【請求項１７】
光学ガラスの磨耗度ＦＡが４５０未満である、請求項１又は請求項２に記載のフルオロリン酸塩光学ガラス。
【請求項１８】
請求項１又は２のフルオロリン酸塩光学ガラスにより製造される光学素子。
【誤訳訂正２】
【訂正対象書類名】明細書
【訂正対象項目名】０００５
【訂正方法】変更
【訂正の内容】
【０００５】
本発明は、屈折率ｎｄが１．５９以上で、アッベ数υｄが６７以上で、光弾性係数が低く、且つ、良好な化学安定性と研磨性能を有する光学ガラスを提供することを目的とする。
【誤訳訂正３】
【訂正対象書類名】明細書
【訂正対象項目名】０００６
【訂正方法】変更
【訂正の内容】
【０００６】
上記課題を解決するために、本発明は、
陽イオン百分率含有量として、Ｐ５＋：３０〜４０％、Ａｌ３＋：１２〜２０％、Ｂａ２＋：３０〜４０％、Ｃａ２＋：１．３〜１２％、Ｓｒ２＋：１〜１０％、Ｌａ３＋：０〜５％、Ｇｄ３＋：０〜６％、Ｙ３＋：０〜１０％を含有し、陰イオン百分率含有量として、Ｆ−：２５〜４０％、Ｏ２−：６０〜７５％を含有するフルオロリン酸塩光学ガラスを提供する。
【誤訳訂正４】
【訂正対象書類名】明細書
【訂正対象項目名】００２８
【訂正方法】変更
【訂正の内容】
【００２８】
本発明者は、Ａｌ３＋／Ｐ５＋の比率を制御することにより、ガラスの研磨性能が著しく向上する事を見出した。本発明のＡｌ３＋／Ｐ５＋は０．６３未満で、Ａｌ３＋／Ｐ５＋は０．６未満であることが好ましく、Ａｌ３＋／Ｐ５＋が０．５８未満であることがより好ましい。
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
物品であって、
基材であって、炭化ケイ素、窒化ケイ素、ケイ化物及び／又はケイ素を強化相及び／又はマトリックス相として含む基材と、
基材上に設けられたボンドコートであって、元素態ケイ素、１以上の追加の金属、金属間及び／又はセラミック相とケイ素、並びに／或いは１種以上のケイ素合金又は化合物を含む材料で形成されているボンドコートと、
ボンドコートの表面上に設けられた１以上の外側層であって、稀土類ケイ酸塩及び／又はアルミノケイ酸塩を含む１以上の外側層と、
ボンドコートの表面上に設けられ、ボンドコートと１以上の外側層との間でそれらと接する構成層と
を含んでおり、構成層がボンドコートの構成成分によって形成されていて物品の作動環境でクリープを受け易く、ボンドコートが、１以上の外側層に形成された複数の溝部と係合する複数の隆条部と複数の溝部とを画成していて、１以上の外側層を構成層を介してボンドコートと物理的に係合せしめ、隆条部が５０〜２００μｍの高さ、２５０〜１０００μｍの波長、０．２〜０．８の各隆条部の幅と隆条部の波長との比を有し、構成層の厚さが４〜４０μｍである、物品。
【請求項２】
隆条部が７５〜１２５μｍの高さを有する、請求項１記載の物品。
【請求項３】
ボンドコートが元素態ケイ素から基本的になる、請求項１又は請求項２記載の物品。
【請求項４】
ボンドコートが、炭化ケイ素及び窒化ケイ素からなる群から選択される１以上の追加のセラミック相とケイ素から基本的になる、請求項１又は請求項２記載の物品。
【請求項５】
アルミノケイ酸塩が、ムライト及び／又はアルカリ土類アルミノケイ酸塩を含む、請求項１乃至請求項４のいずれか１項記載の物品。
【請求項６】
アルカリ土類アルミノケイ酸塩がＢＳＡＳを含む、請求項５記載の物品。
【請求項７】
基材が、炭化ケイ素を強化相及び／又はマトリックス相として含むセラミックマトリックス複合材料である、請求項１乃至請求項６のいずれか１項記載の物品。
【請求項８】
ケイ化物が、高融点金属ケイ化物又は遷移金属ケイ化物である、請求項１乃至請求項６のいずれか１項記載の物品。
【請求項９】
構成層が、非晶質シリカ又は結晶質シリカ又はそれらの混合物を含む、請求項１乃至請求項８のいずれか１項記載の物品。
【請求項１０】
物品がタービンエンジンの回転部品であって、隆条部が、物品の回転時に物品に加わる剪断荷重と実質的に直角をなす方向に延在している、請求項１乃至請求項９のいずれか１項記載の物品。
【請求項１１】
構成層の厚さが、剪断荷重の加わる方向に関して、前縁厚から後縁厚まで変化する、請求項１０記載の物品。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
第一表面と、当該第一表面と反対側の第二表面とを含むガラス基材であって、第一表面と第二表面との間の当該ガラス基材の平均厚さが約０．３ｍｍ以下のガラス基材と；
第一圧縮応力層深さＤＯＬ１を有する、前記ガラス基材の中心に向かって内側に広がる第一圧縮応力層と；
第二圧縮応力層深さＤＯＬ２を有する、前記ガラス基材の中心に向かって内側に広がる第二圧縮応力層と；
を含み、
ＤＯＬ１がＤＯＬ２より大きい、
ガラス物品。
【請求項２】
ＤＯＬ１が、ＤＯＬ２より少なくとも２％大きい、請求項１に記載のガラス物品。
【請求項３】
前記ガラス基材の前記第一表面の圧縮応力が、少なくとも５００ＭＰａである、請求項１または２に記載のガラス物品。
【請求項４】
前記ガラス基材の前記第二表面の圧縮応力が、少なくとも８５０ＭＰａである、請求項１または２に記載のガラス物品。
【請求項５】
第一表面、該第一表面と反対側の第二表面、および該第一表面と該第二表面との間において０．３ｍｍ以下の平均厚さを有するガラス基材を、湾曲構造において位置決めするステップであって、該湾曲構造における該ガラス基材の曲率半径が約１０ｍｍから約３００ｍｍまでの範囲内である、ステップと；
化学強化されたガラス基材を製造するために、前記第一および第二表面が溶融アルカリ金属塩に接触するように、該湾曲構造において該ガラス基材を該溶融アルカリ金属塩に浸漬するステップと；
を含むガラス物品を形成する方法であって、
該ガラス物品が、
該ガラス基材の前記第一表面から第一圧縮応力層深さＤＯＬ１まで内側に広がる第一圧縮応力層と；
該ガラス基材の前記第二表面から第二圧縮応力層深さＤＯＬ２まで内側に広がる第二圧縮応力層と、
を含み、
ＤＯＬ１がＤＯＬ２より大きい、
方法。
【請求項６】
前記ガラス基材が、浸漬の間、該ガラス基材の前記湾曲構造を生じさせる装置に固定される、請求項５に記載の方法。
【請求項７】
前記ガラス基材が、ガラスリボンであり、
前記浸漬するステップが、該ガラスリボンを供給リールから巻き取りリールへと移動させるステップを含み、
前記浸漬するステップの間に、該移動するガラスリボンの少なくとも一部が、前記溶融アルカリ金属塩を通過する、請求項５に記載の方法。 
【請求項８】
前記移動するガラスリボンの前記少なくとも一部が、前記溶融アルカリ金属塩内においてローラー上を通過する、請求項７に記載の方法。
【請求項９】
第一基材と；
第一表面および該第一表面と反対側の第二表面を含む第二基材であって、該第一表面と該第二表面との間の該第二基材の平均厚さが約０．３ｍｍ以下であり、該第二表面が前記第一基材に接着された第二基材と；
を含むラミネート物品であって；
前記第二基材がガラス基材を含み、該ガラス基材が：
第一圧縮応力層深さＤＯＬ１を有する、前記第一表面から該ガラス基材の中心に向かって内側に広がる第一圧縮応力層と；
第二圧縮応力層深さＤＯＬ２を有する、前記第二表面から該ガラス基材の中心に向かって内側に広がる第二圧縮応力層と；
を含み；
前記ＤＯＬ１が前記ＤＯＬ２より大きい；
ラミネート物品。
【請求項１０】
前記第一基材が、ポリマーおよび金属の少なくとも一方を含む、請求項９に記載のラミネート物品。